(57)【特許請求の範囲】
【請求項１】
視標を表示させる視標表示部と、
前記視標表示部に放射方向の乱視軸検出線を表示させるチャート表示操作部と、
前記乱視軸検出線を時計回り方向又は反時計回り方向に回転表示させる回転操作手段と、
前記乱視軸検出線の停止角度を求める軸角度算出手段を備える乱視軸検出装置であって、
前記多数の放射状線の全てをはっきりした黒色で表示させる第１表示モードと、前記多数の放射状線の少なくとも一つをはっきりした黒色の乱視軸検出線とすると共に残りを薄い色で表示させる第２表示モードとの一方に切り換える表示制御回路が設けられていることを特徴とする乱視軸検出装置。
【請求項２】
請求項１に記載の乱視軸検出装置において、前記表示制御回路は前記チャート表示操作部を操作する毎に前記第１表示モードと第２表示モードとを切り換えることを特徴とする乱視軸検出装置。
【発明の詳細な説明】
【技術分野】
【０００１】
この発明は、被検眼の乱視軸の軸角度を検出する乱視軸検出装置に関するものである。
【背景技術】
【０００２】
従来の視標呈示装置では、視力検査のためのランドルト環や数字等の視力表、斜位検査用のチャート、レッドグリーンテスト用のチャート、乱視軸検査用の放射状チャート等その他の視標を表示部に選択的に表示するようにしている（例えば、特許文献１参照）。
【特許文献１】特開平５−２５３１８６号公報
【発明の開示】
【発明が解決しようとする課題】
【０００３】
ところで、被検眼の乱視軸を検査する場合、多数の放射状線からなる放射状チャートを被検者に視認させて、最も濃く見える放射状線の数字を被検者に答えさせるようにしているのが普通である。
【０００４】
しかしながら、このように検者が被検者に最も濃く見える放射状線の数字を被検者に答えさせることにより、被検眼の乱視軸の軸角度を得るようにしていたため、得られた軸角度のデータが被検者に必ずしも満足できるものではなかった。
【０００５】
そこで、この発明は、被検者が満足できる軸角度データを得ることができる乱視軸検出装置を提供することを目的とするものである。
【課題を解決するための手段】
【０００７】
この目的を達成するため、請求項１の発明は、視標を表示させる視標表示部と、前記視標表示部に放射方向の乱視軸検出線を表示させるチャート表示操作部と、前記乱視軸検出線を時計回り方向又は反時計回り方向に回転表示させる回転操作手段と、前記乱視軸検出線の停止角度を求める軸角度算出手段を備える乱視軸検出装置としたことを特徴とする。
【発明の効果】
【０００８】
このような構成によれば、被検者が満足できる軸角度データを得ることができる。
【発明を実施するための最良の形態】
【０００９】
以下、この発明の実施の形態を図面に基づいて説明する。
[構成]
図１は自覚式検眼システムを示したものである。この自覚式検眼システムは、自覚式検眼装置１及び視標呈示装置２を有する。
【００１０】
この自覚式検眼装置１は、検眼テーブル３と、検眼テーブル３の一側部に一体に設けられた筒軸４と、筒軸４に上下動可能に保持された可動支柱５を有する。この可動支柱５は図示しない駆動手段により上下動可能に設けられている。この駆動手段としては駆動モータで回転駆動可能な送りネジ機構やシリンダ装置を用いることができる。
【００１１】
また、自覚式検眼装置１は、可動支柱５に水平回動可能に取り付けられた支持アーム６と、支持アーム６の先端部の下側に固定された支持ブラケット７と、支持ブラケット７の下方に配設された検眼装置本体８を有する。この検眼装置本体８は、左右の検眼ユニットＬｕ，Ｒｕを有し、検眼ユニットＬｕ，Ｒｕは検眼窓Ｌｗ，Ｒｗを有する。この検眼ユニットＬｕ，Ｒｕ内には多数のターレット盤（図示せず）がパルスモータにより回転駆動可能に設けられ、ターレット盤（図示せず）には度数の異なる検査レンズや偏光板、透窓等が設けられている。この検眼ユニットＬｕ，Ｒｕには周知の構成を採用できるので、その詳細な説明は省略する。
【００１２】
更に、自覚式検眼装置１は検眼テーブル３上に載置されたコントローラ９を有する。このコントローラ９は、コントローラ本体１０と、このコントローラ本体１０の後縁部に設けた液晶表示部１１を有する。このコントローラ本体１０の上面には図２に示したようにキーボード１２が操作手段として設けられている。
【００１３】
このキーボード１２は、複数の検眼操作用のスイッチ群（符号省略）や斜位検査等に用いるダイヤル１３及び視力検査に用いるスイッチ部１４を有する。また、液晶表示部１１にはタッチパネル式の表示画面１１ａが設けられている。この表示画面１１ａには、図３に示したような他覚データ表示部１５，自覚データ表示部１６，メガネデータ表示部１７及びチャート表示部１８等が設けられている。このようなチャートの表示は従来周知のものであるのでその詳細な説明は省略する。尚、チャート表示部１８には、放射状線で表示された放射状チャート操作部（乱視チャート操作部）１９も表示されている。
【００１４】
また、コントローラ本体１０内には、図４に示した制御回路（制御手段）２０が設けられている。この制御回路２０は、上述した検眼ユニットＬｕ，Ｒｕ内のパルスモータ（図示せず）を駆動制御して上述したターレット盤（図示せず）を回動させ、このターレット盤の検査レンズや偏光板、透窓等を検眼ユニットＬｕ，Ｒｕの検眼窓Ｌｗ，Ｒｗに選択的に臨ませる（配設する）ようになっている。このような制御も周知であるので、その詳細な説明は省略する。
【００１５】
また、図１において、視標呈示装置２には液晶表示器が用いられている。この視標呈示装置２は、ケース２ａと、ケース２ａの前面に設けられた表示部２ｂを表示装置（表示手段）として有する。この表示部２ｂには、液晶表示器やプラズマ式表示装置等を用いることができる。
【００１６】
また、ケース２ａ内には、図４に示したように、視標記録装置（視標記録手段）２１，信号受信装置２２，表示制御回路（表示制御手段）２３，情報記録装置（情報記録手段）２４が設けられている。
【００１７】
視標記録装置２１には、メモリが用いられていて、被検者に呈示させる多数の視標が記録されている。また、信号受信装置２２には赤外線を受光する受光光学系が用いられていいる。この信号受信装置２２は、図１のリモコン（視標選択装置）２５の送信部２５ａからの赤外線による視標選択信号や操作信号等を受信（受光）するようになている。更に、表示制御回路２３は、信号受信装置２２に入力される視標選択信号に基づいて視標記録装置２１に記録された多数の視標を表示画面に選択的に表示させるようになっている。
【００１８】
また、情報記録装置２４には、メモリが用いられていて、表示部２ｂの表示画面２ｃ（図１参照）に表示された視標に基づく検査情報を被検者ＩＤと共に記録されるようになっている。
[作用]
次に、このような構成の視標呈示装置１の作用を説明する。
（１）視標及び放射状チャートの表示
このような構成において図１の検者２６は、視標呈示装置２を用いて被検者２７の視力検査等を行う場合には、図２のコントローラ９のキーボード１２を操作して、制御回路２０により液晶表示部１１に図３の表示画面１１ａを表示させる。
【００１９】
この表示画面１１ａのチャート表示部１８には、他覚データ表示部１５，自覚データ表示部１６，メガネデータ表示部１７及びチャート表示部１８等のチャートが表示される。尚、チャート表示部１８にはランドルト環や視力表（符号省略），放射状チャート操作部（乱視チャート操作部）１９が表示されている。
【００２０】
そして、検者２６が表示画面１１ａのチャート表示部１８に表示されたチャートのいずれかの部分を指でタッチする（触れる）と、このタッチした部分からの視標選択信号が制御回路２０に入力される。この制御回路２０は、チャート表示部１８からの視標選択信号を受けると、チャート表示部１８のタッチした部分の視標選択信号を視標呈示装置２の表示制御回路２３に入力する。この表示制御回路２３は、チャート表示部１８のタッチした部分の視標と同じ視標を視標呈示装置２の表示画面２ｃに表示させる。
【００２１】
例えば、検者２６が指で放射状チャート操作部１９の部分を指でタッチする（触れる）と、このタッチ信号が視標選択信号として制御回路２０に入力される。これにより制御回路２０は、放射状チャートを表示させる視標選択信号を視標呈示装置２の表示制御回路２３に入力する。これに伴い、表示制御回路２３は、図１及び図５（ａ）に示したような放射状チャート（乱視チャート）１９′を視標呈示装置２の表示画面２ｃに表示させる。
【００２２】
また、上述した例ではコントローラ９の操作により視標を選択して視標呈示装置２の表示画面２ｃに表示させるようにしているが、リモコン２５の操作により同様な視標の選択表示を行わせることができる。
【００２３】
即ち、リモコン２５を操作して、このリモコン２５からの赤外線による操作信号（視標選択信号）を視標呈示装置２の信号受信装置２２に向けて送信する。この操作信号が信号受信装置２２により受信されると、この操作信号は表示制御回路２３に入力される。この表示制御回路２３は、リモコン２５からの操作信号（視標選択信号）を受けると、操作信号に応じた視標を視標記録装置２１から呼び出して、表示画面２ｃに表示させる。例えば、表示制御回路２３は、ランドルト環や文字等の視標、レッド・グリーンテスト用の視標や放射状チャート等その他の視標を呼び出して、表示画面２ｃに表示させることができる。例えば、リモコン２５の放射状チャートの選択ボタン（チャート表示操作部）２５ｂの操作により、図１及び図５（ａ）に示したような放射状チャート１９′を視標呈示装置２の表示画面２ｃに表示させることができる。
【００２４】
上述したようにして視標呈示装置２の表示画面２ｃに表示される放射状チャート１９′は、多数の放射状線１９ａ′と、多数の放射状線１９ａ′に対して一つおきに付された１から１２までの数字１９ｂ′を有する。そして、最初に表示される放射状チャート１９′は、多数の放射状線１９ａ′の全てがはっきりした黒色で表示される。
【００２５】
また、多数の放射状線１９ａ′は、コントローラ９の放射状チャート１９の部分を再度指でタッチすると、図５（ｂ）に示したように数字１２と６の部分の一組がはっきりした黒色の乱視軸検出線１９ａ１′で表示され、残りがハーフトーンの薄色の放射状線１９ａ２′で表示される。そして、放射状チャート操作部１９の部分を繰り返しタッチする毎に、表示制御回路２３は図５（ａ）と図５（ｂ）の表示状態を交互に切り換えるようになっている。このような表示色の切換は、リモコン２５の放射状チャートの選択ボタン２５ｂの繰り返し操作することにより、表示制御回路２３が実行するようになっている。
【００２６】
しかも、図５（ｂ）の状態で、図４のリモコン２５の「▽」キー２８と「△」キー２９を押すと、その操作信号が赤外線により視標呈示装置２の信号受信装置２２に向けて送信される。この操作信号が信号受信装置２２により受信されると、この操作信号は表示制御回路２３に入力される。尚、図５（ｂ）では、リモコン２５が横向きに図示しているので、符号２８，２９で示したキーの形状は横向きに見える。しかし、実際にリモコン２５は左側が操作者にとって先端側になるので、符号２８，２９で示したキーの形状は操作者にとって横方向に一つの頂点が向くように見えるのではなく上下方向に一つの頂点が向くように見える。従って、操作者にはキー２８が「▽」のように見えると共にキー２８が「△」のように見える。
【００２７】
この表示制御回路２３は、リモコン２５からの「▽」キー２８の操作信号を受けると、「▽」キー２８を押す毎に乱視軸検出線１９ａ１′が時計回り方向に回転表示させるようになっている。また、表示制御回路２３は、図４のリモコン２５の「△」キー２９の操作信号を受けると、「△」キー２９を押す毎に乱視軸検出線１９ａ１′が反時計回り方向に回転表示させるようになっている。
【００２８】
尚、このようなはっきりした黒色の放射状線１９ａ′の回転操作は、コントローラ９のスイッチ部１４の「▽」キー２８′や「△」キー２９′によっても実行できる。
（２）乱視検査１
そして、表示画面２ｃの放射状チャート１９′を用いて被検眼の乱視軸を求める場合、図１の被検者２７の左右眼で検眼ユニットＬｕ，Ｒｕの検眼窓Ｌｗ，Ｒｗをそれぞれ覗かせると共に、検眼窓Ｌｗ，Ｒｗの内、左右眼の検査する側に対応する側に処方値に基づく度数の検査レンズ（図示せず）を配設して、検査する側の眼に表示画面２ｃを視認させる。例えば、左眼の裸眼視力値を求める場合、検眼窓Ｌｗに処方値に基づく度数の検査レンズを配設し、検眼窓Ｒｗを遮蔽して、左眼に検眼窓Ｌｗを介して表示画面２ｃを視認させる。尚、処方値に基づく度数の検査レンズは、例えばランドルト環等の視標を用いて裸眼の視力値を求め、この裸眼の視力値に基づいて矯正視力値を求めて、この矯正視力値となる度数を算出することにより得られる。
【００２９】
この状態で、検者２６または被検者２７が上述したようなコントローラ９又はリモコン２５の操作により、放射状チャート１９′を図５（ａ）の表示状態から図５（ｂ）の表示状態にする。即ち、多数の放射状チャート１９′は、図５（ｂ）に示したように数字１２と６の部分の一組がはっきりした黒色の乱視軸検出線１９ａ１′で表示され、残りがハーフトーンの薄色の放射状線１９ａ２′で表示された状態に切り換えられる。
【００３０】
そして、被検者２７は、リモコン２５の「▽」キー２８や「△」キー２９の操作により、図５（ｂ）に示した乱視軸検出線１９ａ１′を時計回り方向や反時計回り方向に回転表示させる。もし、乱視軸がある場合には、乱視軸検出線１９ａ１′の回転表示により、乱視軸検出線１９ａ１′が最も濃く見える部分があるので、この位置で放射状線１９ａ′の回転操作を止める。
【００３１】
例えば、図５（ｃ）の数字３，４間の放射状線１９ａ′及び数字９，１０間の放射状線１９ａ′の方向に乱視軸がある場合には、乱視軸検出線１９ａ１′が数字３，４間及び数字９，１０まで回転したときに濃い黒色に見えることになるので、この位置で乱視軸検出線１９ａ１′の回転を停止させる。この位置が被検者２７の乱視軸の軸角度となる。そして、この操作は被検者２７自身が行っているので、被検者２７は納得できる乱視軸の軸角度を得ることができる。
【００３２】
また、この乱視軸の軸角度のデータは、視標呈示装置２の表示制御回路２３及びコントローラ９の制御回路２０を介してパソコン３０に転送させて、このパソコン３０の図示しない記録部に記録させる。この記録部としては、メモリや光デスク装置等の情報記録再生装置がある。
（３）乱視検査２
また、（２）におけるように被検者２７に左右眼の一方の眼で検眼ユニットＬｕ，Ｒｕの検眼窓Ｌｗ，Ｒｗを介して表示画面２ｃの放射状チャート１９′を被検者の一方の眼で視認させる。もし乱視軸がある場合には、特定の角度の放射状線１９ａ′が濃く見え、他の放射状線１９ａ′は薄く見える。例えば、図５（ｃ）の数字３，４間の放射状線１９ａ′及び数字９，１０間の放射状線１９ａ′の方向に乱視軸がある場合には、数字３，４間の放射状線１９ａ′及び数字９，１０間の放射状線１９ａ′が濃い黒色に見え、他の放射状線１９ａ′が薄く見える。
【００３３】
この乱視軸がある場合、検者２６または被検者２７が上述したようなコントローラ９又はリモコン２５の操作により、放射状チャート１９′を図５（ａ）の表示状態から図５（ｂ）の表示状態にする。即ち、多数の放射状チャート１９′は、図５（ｂ）に示したように数字１２と６の部分の一組がはっきりした黒色の乱視軸検出線１９ａ１′で表示され、残りがハーフトーンの薄色の放射状線１９ａ２′で表示された状態に切り換えられる。
【００３４】
この状態で被検者２７は、リモコン２５の「▽」キー２８や「△」キー２９の操作により、図５（ｂ）に示した乱視軸検出線１９ａ１′を時計回り方向や反時計回り方向に回転表示させる。この乱視軸検出線１９ａ１′の回転操作は、図５（ａ）の表示状態で他よりも黒く見えた放射状線１９ａ′の数字１９ｂ′の部分を目標に実行する。
【００３５】
例えば、図５（ｃ）の数字３，４間の放射状線１９ａ′及び数字９，１０間の放射状線１９ａ′が濃い黒色に見え、他の放射状線１９ａ′が薄く見えた場合、数字３，４間及び数字９，１０間を目標に乱視軸検出線１９ａ１′を回転表示させる。そして、数字３，４間及び数字９，１０間付近で乱視軸検出線１９ａ１′を時計回り方向又は反時計回り方向に回転操作して、乱視軸検出線１９ａ１′が最も濃く見える位置で回転操作を停止させる。この停止位置が被検者２７の乱視軸の軸角度となる。
【００３６】
また、この乱視軸の軸角度のデータは、視標呈示装置２の表示制御回路２３及びコントローラ９の制御回路２０を介してパソコン３０に転送させて、このパソコン３０の図示しない記録部に記録させる。
（４）乱視軸の矯正
ところで、被検眼の乱視軸を検査する場合、多数の放射状線からなる放射状チャートを被検者に視認させて、最も濃く見える放射状線の数字を被検者に答えさせるようにしているのが普通である。この検査では乱視軸の軸角度をある程度正確に求めることができる。しかし、このようにして被検者の応答から得られた軸角度をより正確に求めるには、被検者にトライアルフレームを掛けさせ、検者がこのトライアルフレームにトライアルレンズを求めた軸角度に対応させてセットする。そして、この状態で乱視チャートを視認させると共に、セットした近傍の角度でトライアルレンズに軸角度をセットし直し、乱視チャートが均一に視認できる角度を求めることにより、正確な乱視軸の軸角度を求めている。しかし、このような検査では、乱視軸の正確な値を簡易且つ迅速に得ることはできない。
【００３７】
従って、上述した乱視軸の軸角度データを被検者の左右眼についてそれぞれ求めて、この軸角度データに基づいてより簡易且つ迅速に正確な軸角度データを求めることができるのが望ましい。
【００３８】
このためには上述したようにして求めた左右眼の軸角度データを表示制御回路２３から自覚式検眼装置１の制御回路２０に転送し、この被検者の左右眼の軸角度データに基づいて自覚式検眼装置１の検眼ユニットＬｕ，Ｒｕの図示しない円柱レンズを検眼ユニットＬｕ，Ｒｕの検眼窓Ｌｗ，Ｒｗにセットさせる。このセットは制御回路２０によって実行させる。この際、円柱レンズ（図示せず）は上述したようにして求めた被検者の左右眼の軸角度データの向きにセットする。
【００３９】
そして、この状態から円柱レンズを制御回路２０により回転操作することにより、より正確な軸角度データを得ることができる。尚、このような操作は、左右眼の片方ずつ実行させる。
【００４０】
以上説明したように、この発明の実施の形態の乱視軸検出装置は、乱視の検査を行う図形視標（放射状チャート１９′）を表示させる表示手段（表示部２ｂ）と、前記図形視標（放射状チャート１９′）を時計回り方向又は反時計回り方向に回転操作する図形回転操作手段（「▽」キー２８や「△」キー２９）と、前記図形視標（放射状チャート１９′）の停止角度を確認する軸角度確認手段（放射状チャート１９′の数字１９ｂ′、又は表示制御回路２３，制御回路２０，パソコン等を含む回路）を備えている。この構成によれば、被検者が満足できる軸角度データを得ることができる。しかも、検者も表示手段に表示された図形視標の回転角を被検者の応答なしで知ることができるので、検査自体も簡易に実施できる。
【００４１】
また、この発明の実施の形態の乱視軸検出装置において、前記軸角度確認手段（表示制御回路２３，制御回路２０，パソコン等を含む回路）は前記図形視標（放射状チャート１９′）の停止角度を軸角度データとして処理する軸角度処理手段としている。この構成によれば、簡易且つ正確に被検者が満足できる軸角度データを得ることができる。
【００４２】
更に、この発明の実施の形態の乱視軸検出装置において、前記図形回転操作手段（「▽」キー２８や「△」キー２９）は被検者が操作可能な操作部（リモコン２５）に設けられている。この構成によれば被検者自身が乱視の検査を行う図形視標を回転操作するので、被検者がより満足できる軸角度データを確実に得ることができる。
【００４３】
また、この発明の実施の形態の乱視軸検出装置において、前記軸角度処理手段は前記図形視標（放射状チャート１９′）の停止角度を軸角度データとして求めて記録部に記録させる制御回路２０としている。この構成によれば、簡易な構成で被検眼の乱視軸の軸角度データをレンズの処方のために記録することができる。
【００４４】
また、この発明の実施の形態の乱視軸検出装置は、視標を表示させる視標表示部（表示部２ｂ）と、前記視標表示部（表示部２ｂ）に放射方向の乱視軸検出線１９ａ１′を表示させるチャート表示操作部（選択ボタン２５ｂ）と、前記乱視軸検出線１９ａ１′を時計回り方向又は反時計回り方向に回転表示させる回転操作手段（「▽」キー２８や「△」キー２９）と、前記乱視軸検出線１９ａ１′の停止角度を求める軸角度算出手段（表示制御回路２３）を備えている。
【００４５】
この構成によれば、乱視軸検出線１９ａ１′を回転させることで、乱視軸検出線１９ａ１′がはっきり見える角度を簡易且つ正確に求めることができるので、被検者が満足できる軸角度データを得ることができる。しかも、検者も表示手段（表示部２ｂ）に表示された乱視軸検出線１９ａ１′の回転角を被検者の応答なしで知ることができるので、検査自体も簡易に実施できる。
【００４６】
また、この発明の実施の形態の乱視軸検出装置において、前記多数の放射状線１９ａ′の全てをはっきりした黒色で表示させる第１表示モードと、前記多数の放射状線１９ａ′の少なくとも一つをはっきりした黒色の乱視軸検出線１９ａ１′とすると共に残りを薄い色で表示させる第２表示モードとの一方に切り換える表示制御回路２３が設けられている。
【００４７】
この構成によれば、多数の放射状線１９ａ′の全てをはっきりした黒色で表示させる第１表示モードを有するので、チャート表示操作部の操作で多数の放射状線１９ａ′からなる乱視検査用の放射状チャート１９′を表示させたときに、乱視検査が可能であることを知ることができる。しかも、多数の放射状線１９ａ′の少なくとも一つをはっきりした黒色の乱視軸検出線１９ａ１′とすると共に残りを薄い色で表示させる第２表示モードに切り換えることで、乱視軸検出線１９ａ１′が回転操作されたときに、被検眼に乱視がある場合には簡易且つ正確に乱視軸の軸角度を求めることができる。
【００４８】
また、この発明の実施の形態の乱視軸検出装置において、前記表示制御回路２３は前記チャート表示操作部（選択ボタン２５ｂ）を操作する毎に前記第１表示モードと第２表示モードとを切り換えるようになっている。
【００４９】
この構成によれば、第１，第２表示モードの切り換えにチャート表示操作部（選択ボタン２５ｂ）を利用できるので、第１，第２表示モードの切り換えのためのスイッチやボタン等を別途設ける必要がなく、構成を簡単にできる。
【００５０】
尚、被検者２７はリモコン２５の選択ボタン２５ｂの操作で第１，第２表示モードの切り換えを行うようにしているが、検者２６がコントローラ９のチャート表示部１８に表示された放射状チャート操作部１９の部分をタッチ操作することで操作で第１，第２表示モードの切り換えを行うこともできる。また、検者２６が図形視標（放射状チャート１９′）を回転操作する際には、スイッチ部１４の「▽」キー２８′や「△」キー２９′を用いることができる。
【図面の簡単な説明】
【００５１】
【図１】この発明に係る乱視軸検出装置を有する自覚式検眼システムの概略斜視図である。
【図２】図１のコントローラの概略斜視図である。
【図３】図２のコントローラの表示部の説明図である。
【図４】図１の自覚式検眼システムの制御回路図である。
【図５】（ａ）〜（ｃ）は、図１の視標呈示装置の表示部に表示させる放射状チャート（乱視チャート）の説明図である。
【符号の説明】
【００５２】
１・・・自覚式検眼装置
２・・・視標呈示装置
２ｂ・・・液晶表示部（表示手段、視標表示部）
１９・・・放射状チャート操作部（乱視チャート操作部）
１９′・・・放射状チャート（図形視標、乱視チャート）
１９ａ′・・・放射状線
１９ａ１′・・・乱視軸検出線
１９ａ２′・・・放射状線
１９ｂ′・・・数字
２５・・・リモコン
２５ｂ・・・選択ボタン（チャート表示操作部）
２８・・・「▽」キー（図形回転操作手段）
２９・・・「△」キー（図形回転操作手段）
２０・・・制御回路（軸角度確認手段）
２３・・・表示制御回路（軸角度確認手段）
３０・・・パソコン（軸角度確認手段）
【図１】
0005114149.tif 000002
【図２】
0005114149.tif 000003
【図４】
0005114149.tif 000004
【図３】
0005114149.tif 000005
【図５】
0005114149.tif 000006